(57)【要約】      （修正有）【課題】解体のための操作を容易かつ迅速に行える包装用箱を提供する。【解決手段】基板１２と、第一外側板２１と第一内側板２３とを有し基板１２に対して起立する第一側板部１３と、第二外側板４１と第二内側板４３とを有し、第一側板部１３に隣接するとともに基板１２に対して起立する第二側板部１４と、第一内側板２３の下辺部から連続し、基板１２の中央方向へ張り出す第一重合板２４と、第二内側板４３の下辺部から連続し、基板１２の中央方向へ張り出す第二重合板４４と、第二外側板４１と第二内側板４３との間に連結板を配置し、第二内側板４３の揺動を規制して第一側板部１３と第二側板部１４の起立を保持してなる。第二内側板４３と第二重合板４４との境界に分断部４７を備え、第二内側板４３の分断部４７から所定の間隔を隔てた上方に、指掛部４５を備える。【選択図】図２
0003188426.tif 000002
【実用新案登録請求の範囲】
【請求項１】
基板と、
第一外側板と第一内側板とを有し前記基板に対して起立する第一側板部と、
第二外側板と第二内側板とを有し前記第一側板部に隣接するとともに前記基板に対して起立する第二側板部と、
前記第一内側板の下辺部から連続し、前記基板の中央方向へ張り出す第一重合板と、
前記第二内側板の下辺部から連続し、前記基板の中央方向へ張り出す第二重合板と、
前記第一側板部の側辺部に連結板とを備え、
前記第二外側板と前記第二内側板との間に前記連結板を配置し、前記第二内側板の揺動を規制して前記第一側板部と前記第二側板部の起立を保持してなる包装用箱であって、
前記第二内側板と前記第二重合板との境界に分断部を備え、
前記分断部によって、前記分断部から前記第二内側板側の領域と前記分断部から前記第二重合板側の領域とを不連続とし、
前記第二内側板の前記分断部から所定の間隔を隔てた上方に、指掛部を備えることを特徴とする包装用箱。
【請求項２】
前記分断部を、前記第二内側板と前記第二重合板との境界上に直線状の切線で形成することを特徴とする請求項１に記載する包装用箱。
【請求項３】
少なくとも前記第一内側板の側辺部と前記第二内側板の側辺部若しくは前記第二重合板の側辺部とを接触させ、又は少なくとも前記第一重合板の側辺部と前記第二重合板の側辺部とを接触させて、前記第二内側板の揺動を規制することを特徴とする請求項１又は請求項２に記載する包装用箱。
【請求項４】
前記指掛部と前記分断部との間に、前記指掛部から前記分断部に至る方向に延びる曲げ部を備えることを特徴とする請求項１から請求項３のいずれか一項に記載する包装用箱。
【請求項５】
前記分断部から前記第二重合板側の領域に、切欠部を備えることを特徴とする請求項１から請求項４のいずれか一項に記載する包装用箱。
【請求項６】
前記指掛部は、舌板を可動に備えることを特徴とする請求項１から請求項５のいずれか一項に記載する包装用箱。
【請求項７】
前記舌板は、前記第二外側板側に可動した際に、前記第二外側板に接触する大きさであることを特徴とする請求項６に記載する包装用箱。
【考案の詳細な説明】
【技術分野】
【０００１】  本考案は、包装用箱に関し、より詳細には解体を容易に行うことのできる包装用箱に関する。
【背景技術】
【０００２】  従来、内側板と外側板とを有する包装用箱３１１として、図１１に示す展開体４を組み立てて使用するものが一般的に知られている。この展開体４は、四角形の基板１１２の対向する前後左右辺に夫々外側板１２１、１４１と額縁板１２２、１４２と内側板１２３、１４３とからなる側板部を連設し、内側板１２３、１４３に夫々連続する重合板１２４、１４４を連設し、左右の内側板１２３の前後辺に連結板１２６を連設し、左右の外側板１２１と前後の外側板１４１との間に連結板１５１を連設してなるものであり、図１２（ａ）に示すように、基板１１２に対して側板部を起立し、連結板１２６、１５１を前後の内側板１４３と外側板１４１との間に配置し、図１２（ｂ）に示すように、重合板１２４、１４４を基板１１２に重ね、左右の重合板１２４の側辺部を前後の重合板１４４の側辺部の上に重ねて接触させることにより、内側板１２３、１４３の揺動を規制して側板部の起立を保持する包装用箱である。
この種の包装用箱は、主に段ボールや板紙で生産され、包装用箱内の収納物を保護する目的の他、贈答品等の包装にあっては高級感を演出する目的にも用いられる。【０００３】  この種の包装用箱３１１を解体する場合には、重合板１４４を手指で引っ掛けて上方に引き上げるように湾曲させながら、重合板１４４の側辺部と重合板１２４の側辺部との接触を解除する必要がある。【０００４】  しかしながら、重合板１４４の側辺部は重合板１２４の側辺部が重なって接触し、押圧されていることから、基板１１２に押し付けられた状態となっている。このため、重合板１４４は手指に引っ掛かり難く、手指に引っ掛けて上方に引き上げる操作は困難であり、包装用箱３１１の解体は容易ではなかった。【０００５】  そこで従来、重合板同士の接触の解除を容易にすることを目的として、前後の内側板の両端下端部に、対応する左右両側板の重合板の幅よりも短い切欠部を設けるとともに、幅方向中央下端部に手指挿入孔を設けた包装用紙箱が開発されている（特許文献１参照。）。特許文献１に記載の包装用紙箱は、解体の際に、指挿入孔に手指を挿入して前後の内側板を掴みやすくし、手指で内側板を上方に引き上げて内側板を撓ませることにより、前後の重合板の側辺部を左右の重合板の側辺部から引き上げようというものである。【０００６】  前記従来の包装用紙箱によれば、手指挿入孔に手指を引っ掛け、手指挿入孔を包装用紙箱の中心方向かつ上方に向けて引き上げるようにすると、それにつれて前後の内側板が撓むこととなり、前後の重合板の側辺部が左右の重合板の側辺部から引き抜かれる。
【先行技術文献】
【特許文献】
【０００７】
【特許文献１】特開２００１−３０１７４３号公報
【考案の開示】
【考案が解決しようとする課題】
【０００８】  しかしながら、前記従来の包装用紙箱の手指挿入孔は、前後の内側板の下端部に設けられているため、手指を引っ掛けにくく、また前後の内側板は前後の重合板の側辺部と左右の重合板の側辺部とが接触してその起立を強固に保持しているため、例えば力の弱い者にとってこのような包装用箱の解体は困難であった。【０００９】  本考案は前記課題に鑑みてなされたものであって、解体のための操作が容易であり、解体を迅速に行うことができる包装用箱を提供することを課題とする。
【課題を解決するための手段】
【００１０】  本考案の解決しようとする課題は以上の如くであり、次にこの課題を解決するための手段を説明する。【００１１】  第１の考案では、
基板と、
第一外側板と第一内側板とを有し前記基板に対して起立する第一側板部と、
第二外側板と第二内側板とを有し前記第一側板部に隣接するとともに前記基板に対して起立する第二側板部と、
前記第一内側板の下辺部から連続し、前記基板の中央方向に張り出す第一重合板と、
前記第二内側板の下辺部から連続し、前記基板の中央方向に張り出す第二重合板と、
前記第一側板部の側辺部に連結板とを備え、
前記第二外側板と前記第二内側板との間に前記連結板を配置し、前記第二内側板の揺動を規制して前記第一側板部と前記第二側板部の起立を保持してなる包装用箱であって、
前記第二内側板と前記第二重合板との境界に分断部を備え、
前記分断部によって、前記分断部から前記第二内側板側の領域と前記分断部から前記第二重合板側の領域とを不連続とし、
前記第二内側板の前記分断部から所定の間隔を隔てた上方に、指掛部を備えることを特徴とする包装用箱とする。【００１２】  第２の考案では、第１の考案であって、
前記分断部を、前記第二内側板と前記第二重合板との境界上に直線状の切線で形成することを特徴とする包装用箱とする。【００１３】  第３の考案では、第１又は第２の考案であって、
少なくとも前記第一内側板の側辺部と前記第二内側板の側辺部若しくは前記第二重合板の側辺部とを接触させ、又は少なくとも前記第一重合板の側辺部と前記第二重合板の側辺部とを接触させて、前記第二内側板の揺動を規制することを特徴とする包装用箱とする。【００１４】  第４の考案では、第１から第３のいずれかの考案であって、
前記指掛部と前記分断部との間に、前記指掛部から前記分断部に至る方向に延びる曲げ部を備えることを特徴とする包装用箱とする。【００１５】  第５の考案では、第１から第４いずれかの考案であって、
前記分断部から前記第二重合板側の領域に、切欠部を備えることを特徴とする包装用箱とする。【００１６】  第６の考案では、第１から第５いずれかの考案であって、
前記指掛部は、舌板を可動に備えることを特徴とする包装用箱とする。【００１７】  第７の考案では、第６の考案であって、
前記舌板は、前記第二外側板側に可動した際に、前記第二外側板に接触する大きさであることを特徴とする包装用箱とする。
【考案の効果】
【００１８】本考案の効果として、以下に示す効果を奏する。【００１９】  第１の考案よれば、第二内側板と第二重合板との境界に分断部を備え、分断部から所定の間隔を隔てた上方に指掛部を備えるため、指掛部に手指を挿入しやすい。
また、分断部によって、分断部から第二内側板側の領域と分断部から第二重合板側の領域とを不連続としているため、指掛部に手指を挿入して引っ掛け、包装用箱の中心方向かつ上方に向けて引き上げるようにすると、それにつれて分断部から第二内側板側は、分断部から第二重合板側と分離して撓みやすくなり、指掛部に手指を引っ掛けやすくなる。【００２０】  第２の考案によれば、第１の考案の効果に加え、分断部を前記第二内側板と前記第二重合板との境界上に直線状の切線で形成するため、分断部が外観上目立ちにくく、また包装用箱の強度の低下を招きにくい。【００２１】  第３の考案によれば、第１の考案又は第２の考案の効果に加え、少なくとも第一内側板の側辺部と第二内側板の側辺部若しくは第二重合板の側辺部とを接触させ、又は少なくとも第一重合板の側辺部と第二重合板の側辺部とを接触させて、第二内側板の揺動を規制する包装用箱においては、指掛部に手指を挿入して引っ掛け、包装用箱の中心方向かつ上方に向けて引き上げるようにすると、第二内側板が撓み、その左右両側辺部と、第二内側板と連続する第二重合板の左右両側辺部が包装用箱の中央側に寄せられ、また、分断部から第二重合板側の領域にも撓みが生じて第二重合板の左右両側辺部が第二重合板の中央側に寄せられて、上記接触を解除しやすくなり、解体が容易となる。【００２２】  第４の考案によれば、第１から第３の考案の効果に加え、指掛部と分断部との間に、指掛部から分断部に至る方向に延びる曲げ部を備えるため、指掛部に手指を挿入して引っ掛け、包装用箱の中心方向かつ上方に向けて引き上げるようにすると、曲げ部で折れ曲がり、第二内側板が撓みやすくなる。【００２３】  第５の考案によれば、第１から第４の考案の効果に加え、分断部から第二重合板側の領域に切欠部を備えるため、切欠部付近が撓みやすくなる。【００２４】  第６の考案によれば、第１から第５の考案の効果に加え、指掛部は舌板を可動に備えるため、指掛部に手指を挿入し、舌板を第二外側板側へ押し込みつつ手指を引っ掛ければ、手指を傷つけにくく安全である。【００２５】  第７の考案によれば、第６の考案の効果に加え、舌板は第二外側板側に可動した際に、第二外側板に接触する大きさであるため、舌板を第二外側板側へ押し込むと、舌板が第二内側板を包装用箱の中心方向へ押し出して、第二内側板を包装用箱の中心方向かつ上方に向けて引き上げやすくなる。
【図面の簡単な説明】
【００２６】
【図１】本考案の第一実施形態に係る包装用箱１１の展開体１の平面図。
【図２】本考案の第一実施形態に係る包装用箱１１の組み立てを示す斜視図。
【図３】本考案の第一実施形態に係る包装用箱１１の解体を示す斜視図。
【図４】本考案の第一実施形態に係る包装用箱１１の指掛部に手指を差し込んだ状態の部分拡大断面図。
【図５】本考案の第二実施形態に係る包装用箱１１１の展開体２の平面図。
【図６】本考案の第二実施形態に係る包装用箱１１１の組み立てを示す斜視図。
【図７】本考案の第二実施形態に係る包装用箱１１１の指掛部に手指を差し込んだ状態の部分拡大断面図。
【図８】本考案の第三実施形態に係る包装用箱２１１の展開体３の平面図。
【図９】本考案の第三実施形態に係る包装用箱２１１の組み立てを示す斜視図。
【図１０】本考案のその他の実施例を示す指掛部と分断部付近の部分拡大平面図。
【図１１】従来技術の包装用箱３１１の展開体４の平面図。
【図１２】従来技術の包装用箱３１１の組み立てを示す斜視図。
【考案を実施するための形態】
【００２７】  次に、本考案の実施の形態について図１〜図１０を用いて説明する。
【００２８】  以下の説明では説明の便宜上、基板１２に第一側板部１３を備える側を左右側とし、基板１２に第二側板部１４を備える側を前後側として説明する。また、組み立てが完成した状態において開口部側を上側、基板１２側を下側として説明する。
【００２９】  なお、以下に説明する本考案の第一実施形態から第三実施形態に係る包装用箱１１、１１１、２１１は、板紙を用いて作成されるものであるが、段ボールシートやプラスチックシートなど他の板状部材で形成することもできる。
【００３０】  ［第一実施形態］
本考案の第一実施形態に係る包装用箱１１について、図１から図４を用いて説明する。
【００３１】  本実施形態の包装用箱１１は、図１に示す展開体１を組み立てて、図２の示す組み立て完成状態とする。組み立てが完成した包装用箱１１は、四角形の基板１２の左右側に第一側板部１３が起立し、基板１２の前後側に、第一側板部１３に隣接して第二側板部１４が起立するものである。包装用箱１１は、トレーや蓋体、身箱等、包装用箱として様々な態様で用いられる。
【００３２】  包装用箱１１は図１に示す展開体１の状態で保管され、必要に応じて組み立てて使用されるが、例えば基板１２と左右側の重合板２４とを予め貼着しておいてもよい。
【００３３】  まず、包装用箱１１の構成について、図１に示す展開体１に従って説明する。
なお、図１に示す展開体１は、箱内面側を紙面手前側として示している。
【００３４】  展開体１は、基板１２の左右側に第一側板部１３を備える。第一側板部１３は、第一外側板２１、第一額縁板２２、第一内側板２３によって構成される部分である。
【００３５】  具体的には、基板１２の左右側の辺部には、折線６１を介して第一外側板２１を連設している。第一外側板２１の折線６１と対向する側の辺部には、折線６２を介して第一額縁板２２を連設している。第一額縁板２２は、組み立て完成状態において、開口部の左右側を構成する部分である。第一額縁板２２の前後側の辺部は、後述する連結板２６を切り込んで支持部２５を形成している。支持部２５は、組み立て完成状態において、後述する第二額縁板４２を支持する部分である。第一額縁板２２の折線６２と対向する側の辺部には、折線６３を介して第一内側板２３を連設している。
また、第一内側板２３の前後側の辺部には折線６４を介して連結板２６を連設している。連結板２６は、組み立て完成状態において、後述する第二外側板４１と第二内側板４３との間に配置する部分である。
第一内側板２３の折線６３と対向する側の辺部には、折線６５を介して第一重合板２４を連設している。第一重合板２４は、組み立て完成状態において、第一内側板２３の下辺部から連続して基板１２の中央方向へ張り出す部分である。
【００３６】  また、展開体１は、基板１２の前後側に第二側板部１４を備える。第二側板部１４は、第二外側板４１、第二額縁板４２、第二内側板４３によって構成される部分である。
【００３７】  具体的には、基板１２の前後側の辺部には、折線６６を介して第二外側板４１を連設している。第二外側板４１の折線６６と対向する側の辺部には、折線６７を介して第二額縁板４２を連設している。第二額縁板４２は、組み立て完成状態において、開口部の前後側を構成する部分である。第二額縁板４２の折線６７と対向する側の辺部には、折線６８を介して第二内側板４３を連設している。
また、第二内側板４３の折線６８と対向する側の辺部には、折線６９を介して第二重合板４４を連設している。第二重合板４４は、組み立て完成状態において、第二内側板４３の下辺部から連続して基板１２の中央方向へ張り出す部分である。折線６９は、第二内側板４３と第二重合板４４との境界上に形成している。
【００３８】  また、第二内側板４３と第二重合板４４の境界上には、左右幅方向の中央付近に、後述する指掛部４５の直径とほぼ同一幅の分断部４７を直線状の切線で形成している。分断部４７は、分断部４７から第二内側板４３側の領域と分断部４７から第二重合板４４側の領域とを不連続にする部分である。本実施形態では、分断部４７を第二内側板４３と第二重合板４４との境界上に直線状の切線で形成しているため、分断部４７が外観上目立ちにくく、また包装用箱１１の強度の低下を招きにくい。
【００３９】  また、第二内側板４３には、分断部４７から所定の間隔を隔てて、前後側（組み立て完成状態における上方）に指掛部４５を形成している。指掛部４５は、組み立て完成状態の包装用箱１１を解体する際に手指を引っ掛ける部分である。指掛部４５は、基部４５ｂと切り込みによって形成された舌板４５ａとを備える。舌板４５ａは基部４５ｂを基部として可動するものである。本実施形態において、基端部４５ｂには折線を形成している。また、指掛部４５に手指を差し込んで舌板４５ａを第二外側板４１側に可動した際に、第二外側板４１に接触する大きさに形成している。
【００４０】  また、指掛部４５と分断部４７の間には、指掛部４５から分断部４７に至る曲げ部４６を折線で形成している。
【００４１】  また、分断部４７から第二重合板４４側の領域の自由端側に、切欠部４８を形成している。
【００４２】  また、展開体１は、第一外側板２１と第二外側板４１との間に折線７０、７１を介して連結板５１を備える。連結板５１には、基板１２の隅部を始点として連結板５１を略二等分する折線７２を形成している。連結板５１は、組み立て完成状態において、第二外側板４１と第二内側板４３との間に配置する部分である。
【００４３】  次に、包装用箱１１の組み立てについて、図１、図２に従って説明する。
包装用箱１１は、図２に示すように、第一側板部１３、第二側板部１４を基板１２に対して起立し、連結板２６、５１を第二外側板４１と第二内側板４３との間に配置し、第一重合板２４、第二重合板４４を基板１２の中央方向へ張り出すとともに第二重合板４４の側辺部の上に第一重合板２４の側辺部を重ねて接触させ、第一内側板２３、第二内側板４３の揺動を規制することで組み立てが完成する。
【００４４】  具体的には、まず、基板１２と第一外側板２１との間の折線６１を折り曲げて、第一外側板２１と、これに連続する第一額縁板２２、第一内側板２３、第一重合板２４を基板１２に対して起立するとともに第二外側板４１と連結板５１との間の折線７１を折り曲げて、連結板５１を第二外側板４１に対して起立する。次に、第一外側板２１と第一額縁板２２との間の折線６２、第一額縁板２２と第一内側板２３との間の折線６３を折り曲げ、第一額縁板２２を介して第一内側板２３を第一外側板２１と対向する位置に起立する。
次に、第一内側板２３と第一重合板２４との間の折線６５を基板１２の中央方向へ折り曲げて、基板１２の中央方向へ張り出す。
この状態において、第一内側板２３は折線６３を有する側が上辺部、折線６５を有する側が下辺部であり、連結板２６を備える側が側辺部である。また、第一重合板２４は第二重合板４４と隣接する側が側辺部である。
続いて、基板１２と第二外側板４１との間の折線６６を折り曲げて、第二外側板４１と、これに連続する第二額縁板４２、第二内側板４３、第二重合板４４を基板１２に対して起立するとともに第一外側板２１と連結板５１との間の折線７０、連結板５１を略二等分する折線７２を折り曲げ、折線７２を介して連結板５１の表面同士を重ね合わせて第二外側板４１側に配置する。次に、第一内側板２３の側辺部の折線６４を折り曲げて、連結板２６を第二外側板４１側へ配置する。続いて、第二外側板４１と第二額縁板４２との間の折線６７、第二額縁板４２と第二内側板４３との間の折線６８を折り曲げて、第二額縁板４２を介して第二内側板４３を第二外側板４１と対向する位置に起立する。
次に、第二内側板４３と第二重合板４４との間の折線６９を基板１２の中央方向に折り曲げて、基板１２の中央方向へ張り出す。
この状態において、第二内側板４３は折線６８を有する側が上辺部、折線６９を有する側が下辺部であり、第一内側板２３と隣接する側が側辺部である。また、第二重合板４４は第一重合板２４と隣接する側が側辺部となる。
そして、第一重合板２４の側辺部を第二重合板４４の側辺部の上に重ねて接触させ、第一内側板２３と第二内側板４３の揺動を規制すれば、組み立てが完成する。
【００４５】  このように組み立てて完成した包装用箱１１は、
基板１２と、
第一外側板２１と第一内側板２３とを有し基板１２に対して起立する第一側板部１３と、
第二外側板４１と第二内側板４３とを有し第一側板部１３に隣接するとともに基板１２に対して起立する第二側板部１４と、
第一内側板２３の下辺部から連続し、基板１２の中央方向へ張り出す第一重合板２４と、
第二内側板４３の下辺部から連続し、基板１２の中央方向へ張り出す第二重合板４４と、
第一側板部１３の側辺部に連結板２６、５１とを備え、
第二外側板４１と第二内側板４３との間に連結板２６、５１を配置し、第二内側板４３の揺動を規制して第一側板部１３と第二側板部１４の起立を保持してなる包装用箱１１であって、
第二内側板４３と第二重合板４４との境界に分断部４７を備え、
分断部４７によって、分断部４７から第二内側板４３側の領域と分断部４７から第二重合板４４側の領域とを不連続とし、
第二内側板４３の分断部４７から所定の間隔を隔てた上方に、指掛部４５を備えるものである。
【００４６】  また、分断部４７を、第二内側板４３と第二重合板４４との境界上に直線状の切線で形成するものである。
【００４７】  また、少なくとも第一重合板２４の側辺部と第二重合板４４の側辺部とを接触させて、第二内側板４３の揺動を規制するものである。
【００４８】  また、指掛部４５と分断部４７との間に、指掛部４５から分断部４７に至る方向に延びる曲げ部４６を備えるものである。
【００４９】  また、分断部４７から第二重合板４４側の領域に、切欠部４８を備えるものである。
【００５０】  また、指掛部４５が、舌板４５ａを可動に備えるものである。
【００５１】  また、舌板４５ａは、第二外側板４１側に可動した際に、第二外側板４１に接触する大きさとするものである。
【００５２】  次に、包装用箱１１の解体について、図３、図４を用いて説明する。包装用箱１１を解体するためには、第一重合板２４の側辺部と第二重合板４４の側辺部との接触を解除すればよい。
【００５３】  具体的には、図３（ａ）に示すように、まず、指掛部４５に手指を挿入して引っ掛ける。ここで、指掛部４５は、分断部４７から所定の間隔を隔てた上方に備えるため、指掛部４５に手指を挿入しやすいものとなっている。また、指掛部４５が舌板４５ａを有するため、図４に示すように、指掛部４５に手指を挿入し、舌板４５ａを第二外側板４１側へ押し込みつつ手指を引っ掛ければ、手指が当接する部分は主に折れ曲がった状態の基部４５ｂとなり、手指を傷つけにくく安全である。
そして、さらに舌板４５ａを第二外側板４１側へ押し込んでいくと、舌板４５ａが第二外側板４１に接触して第二内側板４３を包装用箱１１の中心方向へ押し出すため、第二内側板４３を包装用箱１１の中心方向かつ上方に向けて引き上げやすくなる。
上記の如く第二内側板４３を包装用箱１１の中心方向かつ上方に向けて引き上げていくと、第二内側板４３が撓み、第二内側板４３の左右両側辺部は包装用箱１１の中央側に寄せられる。また、第二内側板４３と連続する第二重合板４４の左右両側辺部もこれと連動して包装用箱１１の中央側に寄せられる。このとき、指掛部４５と分断部４７との間には、指掛部４５から分断部４７に至る方向に延びる曲げ部４６を備えるため、曲げ部４６で折れ曲がり、第二内側板４３が撓みやすくなる。一方、分断部４７から第二重合板４４側の領域にも撓みが生じて第二重合板４４の左右両側辺部が第二重合板４４の中央側に寄せられる。さらに、分断部４７から第二重合板４４側の領域の自由端側には切欠部４８を備えるために当該部分が撓みやすく、第二重合板４４の側辺部は第一重合板２４の側辺部の下から容易に抜け出して、図３（ｂ）に示すように第一重合板２４の側辺部と第二重合板４４の側辺部との接触が解除される。
さらに、第一側板部１３、第二側板部１４を倒伏することにより、平坦として廃棄することがきる。
【００５４】  上記の如く、包装用箱１１は、解体のための操作が容易であり、解体を迅速に行うことができる。
【００５５】［第二実施形態］
本考案の第二実施形態に係る包装用箱１１１について、図５から図７を用いて説明する。本実施形態において、第一実施形態と同様の部分については説明を省略し、異なる部分を中心に説明する。
【００５６】  まず、包装用箱１１１の構成について、図５に示す展開体２に従って説明する。
なお、図５に示す展開体２は、箱内面側を紙面手前側として示している。
【００５７】  第二実施形態の包装用箱１１１は、第一額縁板２２、第二額縁板４２を有しない点、第二内側板４３の左右側の辺部に凸部５２を、第二重合板４４の左右側の辺部に凸部５３を形成し、第一内側板２３の前後側の辺部に凹部５４、凹部５５を形成している点において第一実施形態の包装用箱１１の構成と異なる。
また、指掛部４５に形成する舌板４５ａを指掛部４５よりも小さく形成している点において第一実施形態の包装用箱１１の構成と異なる。
【００５８】  次に、包装用箱１１１の組み立てについて説明する。
包装用箱１１１の組み立ては、図６に示すように、第一側板部１３、第二側板部１４を基板１２に対して起立し、連結板２６、５１を第二外側板４１と第二内側板４３との間に配置し、第一重合板２４、第二重合板４４を基板１２の中央方向へ折り曲げるとともに凸部５２を凹部５４に差し込み、さらに凸部５３を凹部５５に差し込み、第一重合板２４の側辺部に第二重合板４４の側辺部を重ねて接触させて、第二内側板４３の揺動を規制することで組み立てが完成する。
【００５９】  このように組み立てが完成した包装用箱１１１は、第二内側板４３の側辺部に形成する凸部５２と第一内側板２３の側辺部に形成する凹部５４とを接触させるとともに第二重合板４４の側辺部に形成する凸部５３と第一内側板２３の側辺部に形成する凹部５５とを接触させ、さらに、第一重合板２４の側辺部と第二重合板４４の側辺部を接触させて、第一内側板２３、第二内側板４３の揺動を規制するものである。
【００６０】  次に、包装用箱１１１の解体について、図７を用いて説明する。
包装用箱１１１を解体するためには、第一実施形態の包装用箱１１の解体と同様に、まず、指掛部４５に手指を挿入して引っ掛ける。ここで、本実施形態の包装用箱１１１は第一額縁板２２を有さず、第二外側板４１と第二内側板４３との間に空間がないために手指が挿入し難いものであるが、舌板４５ａを第二外側板４１側へ押し込んでいくと、舌板４５ａが第二外側板４１に接触して第二内側板４３を包装用箱１１１の中心方向へ押し出すため、包装用箱１１１の中心方向かつ上方に向けて引き上げやすくなる。本実施形態における舌板４５ａは、第二内側板４３を包装用箱１１１の中心方向へ押し出しやすい大きさに形成している。
このようにして、指掛部４５に手指を引っ掛けて包装用箱１１１の中心方向かつ上方に向けて引き上げていくと、第一実施形態と同様に、第二内側板４３が撓み、第二内側板４３の左右両側辺部は包装用箱１１１の中央側に寄せられる。また、第二内側板４３と連続する第二重合板４４の左右両側辺部もこれと連動して包装用箱１１１の中央側に寄せられる。一方、分断部４７から第二重合板４４側の領域にも撓みが生じて第二重合板４４の左右両側辺部が第二重合板４４の中央側に寄せられる。そして、凸部５２が凹部５４から抜け出し、凸部５３が凹部５５から抜け出して、第一内側板２３の側辺部と第二内側板４３の側辺部と４の接触、第一内側板２３の側辺部と第二重合板４４の側辺部との接触、及び第一重合板２４の側辺部と第二重合板４４の側辺部との接触が解除されて、包装用箱１１１は解体される。
【００６１】［第三実施形態］
本考案の第三実施形態に係る包装用箱２１１について、図８、図９を用いて説明する。本実施形態について、第一実施形態と同様の部分については説明を省略し、異なる部分を中心に説明する。
【００６２】  まず、包装用箱２１１の構成について、図８に示す展開体３に従って説明する。
なお、図８に示す展開体３は、箱内面側を紙面手前側として示している。
【００６３】  第三実施形態の包装用箱２１１は、第二重合板４４の左右側の辺部に凸部５３を形成し、第一内側板２３の前後側の辺部に凹部５５を形成している点、第一重合板２４の前後側の辺部と第二重合板４４の左右側の辺部を斜め４５度に切りこんでいるにおいて第一実施形態の包装用箱１１の構成と異なる。
【００６４】  包装用箱２１１の組み立てについて説明する。
包装用箱２１１の組み立ては、図９に示すように、第一側板部１３、第二側板部１４を基板１２に対して起立し、連結板２６、５１を第二外側板４１と第二内側板４３との間に配置し、第一重合板２４、第二重合板４４を基板１２の中央方向へ折り曲げるとともに第二重合板４４の側辺部に形成する凸部５３を第一内側板２３の側辺部に形成する凹部５５に差し込み、さらに第一重合板２４の斜め４５度に切り込んだ側辺部の端面と第二重合板４４の斜め４５度に切り込んだ側辺部の端面とを接触させ、第一内側板２３、第二内側板４３の揺動を規制することで、組み立てが完成する。
【００６５】  このようにして組み立てた包装用箱２１１は、第一内側板２３の側辺部と第二重合板４４の側辺部とを接触させ、さらに第一重合板２４の側辺部と第二重合板４４の側辺部とを接触させて、第一内側板２３、第二内側板４３の揺動を規制するものである。
【００６６】  包装用箱２１１を解体するにあたっては、第一実施形態の包装用箱１１の解体と同様に、指掛部４５に手指を挿入して引っ掛けて包装用箱２１１の中心方向かつ上方に向けて引き上げる。すると、第二内側板４３が撓み、第二内側板４３の左右両側辺部は包装用箱２１１の中央側に寄せられる。また、第二内側板４３と連続する第二重合板４４の左右両側辺部も連動して包装用箱２１１の中央側に寄せられる。一方、分断部４７から第二重合板４４側の領域にも撓みが生じて第二重合板４４の左右両側辺部が第二重合板４４の中央側に寄せられる。そして、凸部５３が凹部５５から抜け出し、第一内側板２３の側辺部と第二重合板４４の側辺部との接触及び第一重合板２４の側辺部と第二重合板４４の側辺部との接触が解除されて、包装用箱２１１は解体される。
【００６７】  以上、本考案の実施形態について説明したが、本考案の技術的範囲はこれらの実施形態に限定されるものではない。
例えば、指掛部４５の形状は、これらの実施形態に限定されるものでなく、略四角形等適宜変更が可能である。
また、これらの実施形態において、舌板４５ａは指掛部４５の上側に基部４５ｂを備えているが、下側に備えてもよい。この場合は、手指の先を下側に向けて差し込み、包装用箱１１、１１１、２１１の中心方向かつ上方に引き上げることとなる。
また、これらの実施形態において、分断部４７は第二内側板４３と第二重合板４４との境界上に直線状の切線で形成しているが、例えば図１０（ａ）に示す如く第二内側板２３と第二重合板４４との境界を跨ぐ貫通孔を形成してもよいし、図１０（ｂ）に示す如く第二内側板２３と第二重合板４４の境界から第二重合板４４側に貫通孔を形成してもよい。さらには、図１０（ｃ）に示す如く第二内側板２３と第二重合板４４との境界からコの字形状の切り込みを形成する等、第二内側板４３と第二重合板４４との境界に分断部４７を備え、分断部４７から第二内側板４３側の領域と分断部４７から第二重合板４４側の領域とを不連続とすれば、本考案の目的を達することができる。
また、これらの実施形態において、曲げ部４６を１箇所設けているが、複数箇所設けてもよい。さらに、曲げ部４６は指掛部４５を始点とし、分断部４７を終点とする折線としているが、指掛部４５付近を始点として、分断部４７付近を終点する短い折線であってもよい。つまり、指掛部４５から分断部４７に至る方向に延びる曲げ部であれば、本考案の目的を達することができる。
また、これらの実施形態において、切欠部４８は、分断部４７から第二重合板４４側の領域の自由端側に備えているが、分断部４７側に備えてもよいし、両側に備えてもよい。
【符号の説明】
【００６８】１、２、３、４  展開体
１１、１１１、２１１，３１１  包装用箱
１２        基板
１３        第一側板部
１４        第二側板部
２１        第一外側板
２２        第一額縁板
２３        第一内側板
２４        第一重合板
２５        支持部
２６、５１  連結板
４１        第二外側板
４２        第二額縁板
４３        第二内側板
４４        第二重合板
４５        指掛部
４５ａ      舌板
４５ｂ      基部
４６        曲げ部
４７        分断部
４８        切欠部
５２、５３  凸部
５４、５５  凹部
６１、６２、６３、６４、６５、６６、６７、６８、６９、７０、７１、７２  折線
【図１】
0003188426.tif 000003
【図２】
0003188426.tif 000004
【図３】
0003188426.tif 000005
【図４】
0003188426.tif 000006
【図５】
0003188426.tif 000007
【図６】
0003188426.tif 000008
【図７】
0003188426.tif 000009
【図８】
0003188426.tif 000010
【図９】
0003188426.tif 000011
【図１０】
0003188426.tif 000012
【図１１】
0003188426.tif 000013
【図１２】
0003188426.tif 000014